(57)【要約】      （修正有）【課題】カツラの装着が目立たず、風等の悪条件にもしっかりとした固定が確保でき、着用時の使用感を損なわずに、脱着が容易にできるネットをベースとするカツラの取り付け方法を開発すること。【解決手段】一本乃至数本の糸を使用してカツラ取り付け位置の縁に沿って自毛を編み込んで、頭の周囲に輪を形成して編み込み土台とし、その編み込み土台とネットをベースとしたカツラのネットベースの縁を形成している細巾の帯状の基布とを開閉式の固定具を用いて着脱自在に取り付ける。【選択図】図３−ｂ
2004277903.tif 000002
【特許請求の範囲】
【請求項１】
編み込みによって作成した編み込み土台を設け、該土台にネットベースの帯状の基布を有するカツラを開平タイプの固定具を用いて取り付けるカツラの取付方法において、
編み込み土台は、１本乃至数本の編み込み用の糸と頭皮に存在する毛髪でもって一つの毛束とし、該糸と該毛束を編み込み、毛の無い部分は糸のみによって編み込んで作成するものであって、毛束はカツラ取り付け予定位置に沿って頭の周囲に複数点在して設けて、最初の毛束から順次糸で編み込むことによって、頭の周囲に編み紐状の輪が形成されるものであり、輪の途中にはいくつかの結び目が形成されており、
他方、カツラのネットベースの縁に設けられた細巾の帯状の基布に固定具を複数個装着したカツラを準備し、該カツラを頭に載せ、固定具を上記編み込み土台に挿入して、カツラの着用を終了し、
カツラを取り外す場合は、該固定具を編み込み土台から引き出すことによって、カツラと編み込み土台と分離することを特徴とするカツラの取付方法。
【請求項２】
毛束の編み込みは、隣り合う毛束を重複させることなく、一つ一つの毛束と糸を以て編み上げることを特徴とする請求項１記載のカツラの取付方法。
【請求項３】
毛束の編み込みは、前の毛束に次の毛束を足し合わせながら隣り合う毛束を重複させて連続して編み上げることを特徴とする請求項１記載のカツラの取付方法。
【請求項４】
毛束の編み込みは、少なくとも結び目に位置する毛束の先端部分を上向きにするように編み込むことを特徴とする請求項１〜３のいずれかに記載のカツラの取付方法。
【請求項５】
毛束の編み込みは、一つの毛束を頭皮の半径５〜１０ｍｍに存在する頭髪で構成し、８〜８０ｍｍ編み込んで結び目を作って終了し、次の毛束の編み込みを同様にして行い、これを順次繰り返して、頭の周囲に編み紐状の輪を形成することを特徴とする請求項１、２、４のいずれかに記載のカツラの取付方法。
【請求項６】
毛束の編み込みは、数本の毛束を編み込んだ後に結び目を作ることを特徴とする請求項１〜４記載のカツラの取付方法。
【請求項７】
少なくとも固定具を挿入する箇所の隣り合う結び目の間隔を４０〜５０ｍｍとすることを特徴とする請求項６記載のカツラの取付方法。
【請求項８】
編み込み用の糸は、撚糸あるいはフィラメントを使用し、１〜６本を使用することを特徴とする請求項１〜６記載のカツラの取付方法。
【請求項９】
編み込みようの糸として、抗菌性、抗炎症性、防臭性から選ばれる１種あるいは複数種類付与した糸を用いることを特徴とする請求項１または２記載のカツラの取付方法。
【請求項１０】
固定具は、開閉タイプとすることを特徴とする請求項１〜９記載のカツラの取付方法。
【請求項１１】
固定具は櫛歯を備えた開閉タイプとすることを特徴とする請求項１０記載のカツラの取付方法。
【発明の詳細な説明】
【０００１】
【発明の属する技術分野】
本発明は、ネットをベースとするカツラの着脱容易なカツラの取付方法に関する。
【０００２】
【従来の技術】
カツラの取付方法として、本出願人は、頭を周囲を回るように糸と自毛を編み込んで、輪条に紐状の編み込みを形成し、この紐状の編み込みを土台として、ネットをベースとするカツラを糸で３０〜４０箇所かかり付けるカツラの取付方法を特開平２−４１４０４号公報（特許文献１）として提案している。この公報には、頭部の薄毛箇所の周辺に残った毛体に３本の撚り糸で１サイクル毎の結び目間において捲回して編み込む工程と、くくり糸に毛体束を捲回して締め付け工程と、くくり糸により形成されるループ内に毛体束を挿通させて引き締める工程と、くくり糸を手段として結び目を形成する決着工程が記載されている。又、カツラを取り付ける手段として前記、３本の撚り糸で編み込まれた毛体束の基端部間隙内にかがり糸を挿通させてカツラベース外縁部を逢着し固定することが請求項４に記載されている。
【０００３】
この先の発明は、カツラは自毛にしっかりと固定され、風、入浴、水泳などにも対応できるものとして高い評価を受けている。取り外すには、かがり糸をはずす必要があって、編み込み土台の形成、及び装着取り外しとも利用者が独自に行うことはできずに、専門の技術者が行うものである。この間隔は１〜２月であって、美容院に通院するような間隔で手入れをする必要があり、その間、カツラは連続して装着されていることとなる。ただし、カツラはネットベースであるので、編み目から指やブラシを差し入れて頭皮のシャンプーなどは可能となっているものである。手数がかかるので、取り外しが容易でかつ着用時の使用感を損なわないカツラが求められていた。
【０００４】
頭の周囲に自毛と紐とを編み込んで作成したものにフックを取付、カツラ側に輪体を設けて両者を係合するカツラの取付方法が特開平７−３１０２１５号公報（特許文献２）に提案されている。この発明は、二条の伸縮性紐部材を自毛に編み込むことによって頭部装着台座を形成することが請求項１に記載されており、カツラの裏面の適宜の位置に櫛状又は箆状の部材を取り付け、カツラ装着部の適宜間隙に差し込むことにより、カツラを固定するものである。
特開平７−３１０２１５号公報（特許文献２）には、次の発明が開示されている。
二条の伸縮性紐部材と複数の自毛とを用いて三編状に編み、これを順次近傍に隣接する複数の自毛を用いて繰り返すことにより装着台座を形成し、この紐部材の一方にフック型の係合部材を取り付け、カツラの裏面には輪型の係合部材を伸縮性部材を介して取り付け、そして、カツラ裏面の輪型係合部材に装着台座のフック型係合部材を差し込んで、カツラを装着台座に固定する。また、係合部材を取り付けない他方の紐部材は三編み状態から容易に引き抜くことができ、これによって、装着台座を容易に解除できるようにするものである。
伸縮性部材で自毛を編み込んだ場合、カツラのサイズや頭部の形により異なるが、自毛が成長するに従い、伸縮部材の反作用により、編み込んだ毛体が上に浮き上がるためにカツラが不安定に固定される傾向もあり、又、二条の伸縮性部材に差し込んだ櫛状、箆状の部材が頭部から離脱しやすい傾向がある。一度、カツラをはずすと再度装着する場合には、三つ編みをやり直して装着台座を形成する必要があり、カツラの利用者が必要に応じて着脱できる提案とはなっていない。
【０００５】
自毛と紐とで頭の周囲に編み込みを設けた例としては、別に、特開２００２−２２７０２３号公報（特許文献３）が存在し、この発明は、カツラを被着者が任意に、かつ簡単に着脱できるカツラの固定方法として、  頭部の退毛部分の周辺に残っている毛体に複数本の糸状物を編んで形成させたカツラの取付部にホックの雄部を装着し、該ホックの雄部に対応してカツラの裏側にホックの雌部を装着し、両者を係脱してカツラを着脱するものである。
この発明は、利用者が着脱できるモノではあるが、固定箇所が特定されてしまい、頭皮に炎症ができるなどの不都合が生じた場合に、取り付け箇所を変更できず、融通性に劣るものである。また、ホックの盛り上がりが目立つ場合や、ホックが点状であるため、帽子をかぶった場合にあたって違和感が生ずることや頭をぶつけた場合に痛いことがある。
【０００６】
一方、カツラと自毛を固定する固定具も提案されており、例えば、特開平１１−２２２７０６号公報（特許文献４）がある。
この発明は、反転性能を有する湾曲横長形状の脚片と平滑な下方脚片を矩形状に連設し、上方脚片には下方脚片の上面に架かる波形の櫛歯状突片を突設したカツラのストッパーにおいて、上方脚片の上端部左右から同脚片の背方にかけて曲折され、上記櫛歯状突片と並行して上記上方脚片の下端より下方に架かる下向き突片を突設し、カツラの外面外縁部にストッパーの下向き突片を差し込み、ストッパーをカツラに止着するという、かつら本体に縫着、接着剤による止着などを必要としないかつらのストッパーである。この先行文献では、櫛歯を自毛に直接差し込んで固定する取り付け方法が記載されている。
【０００７】
特許文献１：特開平２−４１４０４号公報
特許文献２：特開平７−３１０２１５号公報
特許文献３：特開２００２−２２７０２３号公報
特許文献４：特開平１１−２２２７０６号公報
【０００８】
【発明が解決しようとする課題】
本発明は、カツラの装着が目立たず、風等の悪条件にもしっかりとした固定が確保でき、着用時の使用感を損なわずに、脱着が容易にできるネットをベースとするカツラの取り付け方法を開発することにある。
【０００９】
【課題を解決するための手段】
本発明は、編み込み形成された土台とカツラの内側の縁とを開閉式の固定具で固定することによって自分で簡単に着脱できるカツラの取付方法の発明を提案するものである。
【００１０】
（１）編み込みによって作成した編み込み土台を設け、該土台にネットベースの帯状の基布を有するカツラを開平タイプの固定具を用いて取り付けるカツラの取付方法において、
編み込み土台は、１本乃至数本の編み込み用の糸と頭皮に存在する毛髪でもって一つの毛束とし、該糸と該毛束を編み込み、毛の無い部分は糸のみによって編み込んで作成するものであって、毛束はカツラ取り付け予定位置に沿って頭の周囲に複数点在して設けて、最初の毛束から順次糸で編み込むことによって、頭の周囲に編み紐状の輪が形成されるものであり、輪の途中にはいくつかの結び目が形成されており、
他方、カツラのネットベースの縁に設けられた細巾の帯状の基布に固定具を複数個装着したカツラを準備し、該カツラを頭に載せ、固定具を上記編み込み土台に挿入して、カツラの着用を終了し、
カツラを取り外す場合は、該固定具を編み込み土台から引き出すことによって、カツラと編み込み土台と分離することを特徴とするカツラの取付方法。
（２）    毛束の編み込みは、隣り合う毛束を重複させることなく、一つ一つの毛束と糸を以て編み上げることを特徴とする（１）記載のカツラの取付方法。
（３）    毛束の編み込みは、前の毛束に次の毛束を足し合わせながら隣り合う毛束を重複させて連続して編み上げることを特徴とする（１）記載のカツラの取付方法。
（４）    毛束の編み込みは、少なくとも結び目に位置する毛束の先端部分を上向きにするように編み込むことを特徴とする（１）〜（３）のいずれかに記載のカツラの取付方法。
（５）    毛束の編み込みは、一つの毛束を頭皮の半径５〜１０ｍｍに存在する頭髪で構成し、８〜８０ｍｍ編み込んで結び目を作って終了し、次の毛束の編み込みを同様にして行い、これを順次繰り返して、頭の周囲に編み紐状の輪を形成することを特徴とする（１）（２）（４）のいずれかに記載のカツラの取付方法。
（６）    毛束の編み込みは、数本の毛束を編み込んだ後に結び目を作ることを特徴とする（１）〜（４）記載のカツラの取付方法。
（７）    少なくとも固定具を挿入する箇所の隣り合う結び目の間隔を４０〜５０ｍｍとすることを特徴とする（６）記載のカツラの取付方法。
（８）編み込み用の糸は、撚糸あるいはフィラメントを使用し、１〜６本を使用することを特徴とする（１）〜（６）記載のカツラの取付方法。
（９）    編み込みようの糸として、抗菌性、抗炎症性、防臭性から選ばれる１種あるいは複数種類付与した糸を用いることを特徴とする（１）または（２）記載のカツラの取付方法。
（１０）  固定具は、開閉タイプとすることを特徴とする（１）〜（９）記載のカツラの取付方法。
（１１）  固定具は櫛歯を備えた開閉タイプとすることを特徴とする（１０）記載のカツラの取付方法。
【００１１】
【発明の実施の形態】
本発明は、一本乃至数本の糸を使用してカツラ取り付け位置の縁に沿って自毛を編み込んで、頭の周囲に輪を形成して編み込み土台とし、その編み込み土台とネットをベースとしたカツラのネットベースの縁を形成している細巾の帯状の基布とを開閉式の固定具を用いて着脱自在に取り付ける発明である。
【００１２】
編み込み土台の形成
編み込み土台は、本出願人が先に提案した特開平２−４１４０４号公報（特許文献１）や特願２００１−３２１１５５号に開示された手法を用いることができる。更に、本発明では改良された方法をも提案する。
即ち、特開平２−４１４０４号公報（特許文献１）に開示されている、３本の糸を使用した編み込み手法を図４から図６にかけて解説し、その編み込み形成された編み込み土台にかがりによってカツラを取り付ける説明が図３‐ａである。
３本の糸は、この実施例では１本のくくり糸９ａと、該くくり糸９ａにより編み込まれる毛体束８と一諸に絡められる２本の撚り糸９ｂ，９ｃとからなる。そして編み込み土台７は３本の糸の結束により形成される２つの結目１０ａ，１０ｂ間において、１つの毛束８の根本側の基端部８ａから先端側の終端部８ｂまでが相互に撚り位置を変化されながら、毛束８と３本の糸とが、また３本の糸が相互に絡み合うことにより結束が強められるとともに緩みが防止されるように編込まれる１サイクルの繰返しにより、全体的に前記した如く、側面略帯状で平面環状に形成される。図２の１１は前頭部の毛体５がない場合に、編み込み土台７の左右の前端に無毛個所を横切って前記３本の糸の始端および終端間に掛け巡らされた補助糸で、前頭部におけるカツラ１の固定を補助するためのものである。図３−ａは、かがり糸を使用する従来例を示している。１２はカツラ１の外縁部の細巾の帯状の基布６を編み込み土台７に縫い付けるためのかがり糸である。１３は３本の糸により編込まれる隣接する毛束８，８の基端部８ａ，８ａ相互間にあく間隙であり、前記かがり糸１２は、この間隙１３内に挿通されることにより、かつら１を編み込み土台７に縫い付ける。
【００１３】
これに対して、図３−ｂは、本発明の固着具を使用する模式図を示している。
この図では、３ヶ所の毛束８を連続して編み込み、終端側８ｂを結び目１０ｂの前で上向きに終了させている。固着具Ｂは、毛束の根元８ａ‐８ａ間には収まらないので、結び目間隔を大きくすることで、結び目の硬さに支障をきたすことなく挿入でき、狭着して編み込み土台７とカツラ側の帯状の基布６とを固定することができる。
この３図から図６では、毛束８の終端部８ｂは下側に垂れ下がるように図示されているが、３図‐ｂのように本発明では上向きにすることもできる。また、３図‐ａでは毛束８，８，・・毎に結び目を作っているが、３図‐ｂのように隣り合う毛束を連続した編み込みによって、数個置きに結び目を作って、結び目間隔を４０〜５０ｍｍ間隔とすることができる。
【００１４】
また、特願２００１−３２１１５５号には、１〜１０本の編み込み糸を使用して編み込む手法が開示されている。図９〜図１３に１〜４本を使用した編み込みを紹介する。詳しい説明は省略するが、このような編み込み手法においても、毛束の終端部の向きや連続編み込み及び結び目間隔は前記の様に改良することができる。即ち、結び目間隔を広く取り、また、毛束端を上向きにすることである。
【００１５】
編み込み土台はこの二つの出願に提案した手法に限定されるものではなく、本発明では、次のような改良を施すことができる。
第１に、一つの毛束とする自毛を、従来よりも広めの頭皮の５〜１０ｍｍの半径（図３−ｂのＳに相当）に存在する毛髪でもって一つの毛束とすることができる。
これによって、一つの毛束を編み込む長さを長くすることができる。編み込む長さを長くすることで、毛束を採る間隔が長くなるので固定具を挿入位置の規制が少なくなり、且つ、着脱が容易になる。この間隔は、８〜８０ｍｍ、好ましくは４０〜５０ｍｍ（図３ｂ−Ｌに相当）である。
第２に、先の提案では、毛束の編み込みは、隣り合う毛束を重複させることなく、一つ一つの毛束と糸を以て編み上げていたが、前の毛束に次の毛束を足し合わせながら隣り合う毛束を重複させて連続編み上げることである。これによって、毛束相互が結びつけられ、外力が加わったときに、応力が分散され、毛束の痛みが少なくなる。
第３に、編み込みがずれない結び目を作っているが、この結びの数を先の２つの公報の提案よりも少なくし、固定具の挿脱容易にすることである。第２の隣り合う毛束を重複させて連続して編み上げる方法は、この結び目を少なくしても、編み込み土台の強度を確保するために有効である。このような結び目は、数本の毛束を編み込んだ後に結び目を作ることで実現できる。
第４に、少なくとも結び目に位置する毛束の先端部分を上向きにするように編み込むことである。結び目を作って、その毛束の先端側を下方に垂れ下げると、束の部分の毛が密になってしまい、不自然に見えることがあるので、先端を上向きにすることにより、カツラの内側に入り目立たなくなる。また、毛先が長い場合は、ネットベースの編み目から毛が外にでることとなって、カツラの造毛と相まって自然観を呈する。特に、結び目に位置する毛束の先端は、結び目によって毛束が固くまとめられている。
【００１６】
この第１〜第４の改良方法を取り込んだ改良された編み込みは、毛束の１区間毎に結び目固定せず、前区間の毛束とあらたに少量の毛束とを合わせて連続して編み込む工程を行い、連続編みする区間は２区間〜５区間毎として、１回結び目を作り、毛束の先端を上向きにするものである。２区間毎〜５区間毎に毛束を上向きにし、結び目を作ることで、従来法で発生していた縮毛や切れ毛も軽減でき、また下向きにしていた毛束を上向きにすることでの毛束も目立ちにくくすることができる。そして、結び目の数を減らすことによって、作業性を向上させることができる。
なお、１区間毎の結び目固定では、結び目を作るための糸で一旦、編んだ毛束を左に締め寄せて結び目固定することとなる。この締め寄せによって、毛束を強制的に詰め寄せることで編んだ毛束に締め瘤がでるため、数週間後にその部位を外す際に縮毛になりやがて切れ毛になることもあった。また、先端を下向きにすると、太い毛束が下向きになり、円周に数十箇所渡り太い毛束が垂れ下がり、薄毛の部位では、厚く目立ち不自然となることがあった。
【００１７】
固着具の構成
固定具は、開閉によって挟み込む形式のものを採用する。開閉を利用者自身が行うことにって、カツラの着脱を行うものである。例えば、ヘアピン、幅広のヘアピン、櫛歯を使用することができる。櫛歯の利用としては、薄片状で一辺に櫛歯を取り付けた枠状固定具を使用することができる。
例えば、図７に枠状固定具Ｂを例示する。枠片Ｂ１とＢ２から構成される長方形の枠の長手方向の枠片Ｂ１側の一辺に対向する枠片Ｂ２の辺から飛び出す長さを有する櫛歯Ｂ３を多数設け、枠を長手方向に湾曲付勢させて固定具Ｂを形成する。枠の材質は例えば、バネ鋼を用いることができる。枠の湾曲方向を変えることで、櫛歯Ｂ３と枠片Ｂ２の対向する辺との挟み圧力が変化することとなるので、強圧側の湾曲状態では、カツラと編み込み土台をしっかりと挟持して両者を固定することとなる。一方、反対側に湾曲させると挟持圧は解除されるので、両者を容易に分離できる。
即ち、この構成に限定されることはないが、全体として、湾曲した薄片状の固定具を凹状あるいは凸状に反転して開平状態を創出機能を利用するのである。
湾曲による挟持力の発生は、図７（Ａ）に示されるように櫛歯が対向辺の上側になる面を表面とするとき、凸状湾曲と凹状態の湾曲において、櫛歯Ｂ３の先端が基部側よりも湾曲の変化が大きくなることを利用するものである。即ち、凸状態では櫛歯の先端側と対向辺の間が開き、凹状態では閉まり挟圧が発生することとなるものである。櫛歯を途中で屈曲させることや対向辺に滑り止めとしてゴムを被覆することもできる。
また、開平タイプではなく、櫛歯状の挿入タイプのみでも簡単な係止は可能である。材質も合成樹脂製等金属以外も用いることができる。
固定具は、複数個使用し、特に３〜５個もちいて、前後左右あるいは左右と後ろに用いることができるが、頭髪の状況を考慮して数と場所を決定する。５個の場合は、前（又は後）、側頭前左右、側頭後左右、の５箇所に使用すると安定上優れている。固定具は、カツラに予め挟み込むなどして仮止めすることもできるし、糸又はテグス等で縁に取り付けることもできる。湾曲タイプでは、凹状態で閉鎖することとなるので、頭の外形に沿い易くなり、カツラの装着時に固定具が目立たなくなる。これは、ホックなどと異なる特徴である。
【００１８】
カツラの構成
本発明で使用するカツラは、ネットベースを用いるカツラを基本的に使用する。この種のカツラは、本出願人が先に出願した特許文献１（特開平２−４１４０４号公報）に記載されているものを例示することができる。即ち、図２に記載されるように、１はカツラで、このカツラ１は、例えば一辺が８〜１５ｍｍ程度の大きさの網目２ａを有するネットベース２と、該ネットベース２を編成する糸３に適宜固着手段、例えば基端が結着された擬毛４と、ネットベース２の外縁に縫着される細巾の帯状の基布６とから形成される。前記網目２ａは通気性および発汗性があり、温度、湿度等、自然環境に近い育毛環境を呈するためであり、例えば波状の前記糸３，３を半波づつ位相をずらして山部又は谷部の衝合個所を縫着するようにして形成される。擬毛４は、使用者の毛体５（自毛）と同質、同径、同色のものが選ばれ、その本数は残っている毛体５との関係で量が決定される。
【００１９】
ネットベース２は使用者の脱毛個所乃至は無毛個所が充分、隠れるように後頭部及び側頭部に残った毛体５と僅かに重なる広さの面積を有し、頭部に適合した形状になっている。
前記擬毛４は、人毛又は人工毛が使用される。
頭髪の分け目を付け、頭皮の地肌が見える部部に相当する箇所には、擬毛を植毛した地肌の色に着色した合成樹脂体をネットベースの一部に設けることもできる。
前記細巾の帯状の基布６は、ネットベース２の外縁部に縫着されることによりネットベース２の形くずれがなく、補強するものである。
７はかつらの細巾の帯状の基布６を支持、固定するための編み込み土台であり、この編み込み土台７は頭部の薄毛個所または無毛個所の周辺に残った毛体５を適宜数十本づつ束ねた毛束８を数本の糸、この例では３本の糸９ａ、９ｂ、９ｃを所要手順に撚り合わせることによって形成される。前記毛束８は後部後退型の壮年性の脱毛症においては、例えば無毛個所乃至は脱毛個所の後頭部の周囲に生えている毛体５を編み込みに耐えられるように、例えば、１０〜１５本づつ束ね、編込まれる。前記編み込み土台７は毛体５と無毛個所等の生え際ｈに沿った略帯状で前頭部を開放した平面環状に形成され、その幅は約５ｍｍ〜１ｃｍほどである。
【００２０】
編み込み用糸の構成
糸の形態としては、撚糸やナイロンフィラメントやポリエステルフィラメント製の単繊維状のフィラメントがある。用いる糸の本数は、１本から複数本を用いることができ、２〜６本の複数本を利用すると編み込み強度が得られるが、頭髪の状態を考慮して選択することができる。
糸に、抗炎症、抗菌、防臭、消臭等の機能性を付与することもできる。付与方法としては、各剤を樹脂へ練り込む方法、含浸する方法、塗布して付着させる方法等を用いることができる。この糸は、編み込み用だけでなく、ネットベースを構成する擬毛を取り付ける糸としても使用できる。
抗菌防臭効果のある金属の酸化物を糸に含有した糸もしくはキトサン又はその誘導体、キチン又はその誘導体の素材を含有した糸を使用できる。金属の酸化物としては、酸化銅、酸化亜鉛、酸化チタン、酸化白金、酸化銀等が挙げられる。
【００２１】
編み込み用糸に抗菌性、抗炎症性や防臭等の機能を持たせることによって、頭皮の衛生や健康状態を維持することができる。頭皮にこのような機能を付与した糸が接触することにより、カツラによって覆われた頭皮の衛生状態、環境の悪化を防止することができる。特に、編み込まれ引っ張られた毛根は毛穴が開いた状態のため雑菌が進入しやすく非衛生的になりがちであった。更に、洗髪回数が少ないカツラ使用者などは毛穴に雑菌が繁殖し炎症を起こすこともあった。このような機能性を付与した糸を使用することにより、雑菌の繁殖を抑制することができ炎症紡糸に有効である。
（１）キトサンを練り込んで紡糸した抗炎症、抗菌、防臭を付与した糸
（２）銀イオンとセラミックを練り込み紡糸した制菌性を付与した糸。抗菌性ゼオライト等も使用できる。
（３）酸化チタンとハイドロキシアパタイト被覆加工の糸。
具体的な、加工手法は、本出願人が先に出願した特開平８−１３２２２号公報に開示されているが、このような手法に限定されるものではない。
【００２２】
装着方法
先ず、図８に示すように櫛歯状の固定具をあらかじめカツラの細巾の帯状の基布６に取り付けて準備する。
次いで、編み込み土台を形成し、形成された編み込み土台にカツラのフロントを使用者の額の位置に正確に合せ、カツラに取り付けた固定具を両サイドの編み込み土台に差し込み、固定具を凹状に反転させながらしっかり留め、最後に後頭部の固定具を編み込み土台に差し込んで、同じように留めることで、装着を完成できる。
取り外しは、固定具を凸状側に反転させて、編み込み土台の挟圧を解除し、編み込み土台を上方へ引き上げることによって容易にカツラを取り外すことができる。
図１は取り付け方法を示してあるが、編み込み工程、差込工程、自毛とのミックス工程、セット工程の４つの工程を経ている。従来法では糸でかがる工程を、この発明では、カツラと編み込み土台を固定具による差込工程とするものである。かがりに比べて固定具による差込工程は短時間で終了し、作業効率の向上になる。
【００２３】
カツラ取付部形成及びカツラの着脱方法を簡単にまとめて説明する。
１．抗菌処理施した数本の撚り糸を引き伸ばし張設し、頭部の薄毛箇所周辺に残った健康毛を１０数本程度束ね、束ねた毛体を張設したの撚り糸で編み込み、編み込み長さが４０〜５０ミリの間隔で結び目を作り固定させ、カツラの外周に合わせてカツラを取り付ける編み込み土台を形成する。毛束の終端側は上向きとなるように編み込む。
２．上記数本の撚り糸と毛体を編み込む際、両指の親指、人差し指、中指の６指を使用して編み込む。
３．カツラの固定は、４０〜５０ミリの結び目の間に、あらかじめカツラ外周部の帯状の基布部に逢着しておいた、櫛歯状の反転式ストッパーを挟み込みながら挿しいれ、前記ストッパーを反転させ、強固に固定させる。
４．カツラを外す手段として、反転式ストッパーを逆方向に反転させ解除し、前記４０〜５０ミリの結び目間から反転式ストッパーを引き抜くことでカツラを容易に着脱することができる。このため、カツラの取り付けようの編み込み土台を残したまま洗髪することが可能となる。
【００２４】
【発明の効果】
本発明は、編み込み土台を利用したカツラの取り付け方法を改良するものであって、風などの悪条件にも自然さを失うことのない編み込み手法の特徴を残しつつ、着脱を容易にすることによって、かがり取付では１〜２月に一度のカツラの取り外しが、本発明では利用者が自由に行えるようにしたものである。
そして、結び目間隔を大きくとる本発明の態様では、自毛の傷みを少なくすることができ、また、利用者によっては、従来の結び目間隔が狭いものでは、毛根が引きつられる間隔があり、人により不快感を感じる人もいたが、このような不快感を減少することができる。
従来のかがり止めでは、１サイクル毎の結び目間に形成された毛体束の基端部隙内にかがり糸を挿通させてカツラベース外縁部を逢着しカツラを固定しているが、毛体束の間隔５ミリ〜１０ミリと狭く洗髪する際に汚れが残り痒みを生じることがあった、また、カツラが強固に固定されているため、使用者が容易にカツラを外すことができず、頭部に軽い炎症などがある際に自分で治療もできず、不便であったが、利用者が容易に着脱できるようにすることで、このような不便を解消できるものである。
【００２５】
更に、抗炎症、抗菌、防臭、消臭等の機能性を付与した糸を使用することにより、カツラの衛生を保つと共に、頭皮の健康を保つことができるものである。
結び目間隔を広くることは結び作業数が減ることとなり、かがり止めの省略と相まって、カツラの取り付け作業の短縮となる。
【図面の簡単な説明】
【図１】カツラの取り付け工程図
【図２】カツラ取り付け状態模式図
【図３−ａ】従来のかがりによるカツラの取り付け説明図
【図３−ｂ】本発明の固定具によるカツラの取り付け説明図
【図４】編み込み方法の一例
【図５】編み込み方法の一例
【図６】編み込み方法の一例
【図７】櫛状固定具の例
【図８】カツラ裏面に固定具を取り付けた模式図
【図９】４本の糸を使用した編み込み方法の例
【図１０】３本の糸を使用した編み込み方法の例
【図１１】２本の糸を使用した編み込み方法の例
【図１２】３本の糸を使用した編み込み方法の例
【図１３】１本の糸を使用した編み込み方法の例
【符号の説明】
１  ：カツラ
２  ：ネットベース
２ａ：網目
３  ：糸
４  ：擬毛
５  ：毛体
６  ：帯状の基布
７  ：編み込み土台
８  ：毛束
８ａ：基端部
８ｂ：終端部
９ａ：くくり糸
９ｂ：糸
９ｃ：糸
１０ａ：結目
１０ｂ：結目
１１：補助糸
１２：かがり糸
Ｂ  ：固着具
Ｂ１：枠片
Ｂ２：枠片
Ｂ３：櫛歯
２７：編み込み糸
２８：編み込み糸
２９：編み込み糸
３０：編み込み糸
３１：毛束
３２：毛束
３３：編み込み糸
３４：編み込み糸
３５：編み込み糸
３６：毛束
３７：毛束
３８：編み込み糸
３９：編み込み糸
４０：毛束
４１：毛束
４２：毛束
４３：毛束
４４：編み込み糸
４５：毛束
４６：毛束
４７：毛束
４８：毛束
４９：毛束
５０：毛束
５１：毛束
Ｓ：毛束の基端部の面積
Ｓ１：隣接する毛束の基端部の間隔
Ｌ：結び目間隔
【図１】
2004277903.tif 000003
【図２】
2004277903.tif 000004
【図３−ａ】
2004277903.tif 000005
【図３−ｂ】
2004277903.tif 000006
【図４】
2004277903.tif 000007
【図５】
2004277903.tif 000008
【図６】
2004277903.tif 000009
【図７】
2004277903.tif 000010
【図８】
2004277903.tif 000011
【図９】
2004277903.tif 000012
【図１０】
2004277903.tif 000013
【図１１】
2004277903.tif 000014
【図１２】
2004277903.tif 000015
【図１３】
2004277903.tif 000016